(57)【要約】【課題】作業性、取扱性に優れ、拘束力（締結力）を大きくすることのできる座金一体型ナットを提供する。【解決手段】貫通孔１５の周面に雌ねじ部１７が形成されたナット部１３と、このナット部１３の上端に、ナット部１３の軸と直交する方向に厚さを一定にして一体に設けられた座金部１９とからなり、座金部１９の上面１９ａの、貫通孔１５の中心を中心にした円周上に、治具が係合する貫通孔２１を複数設けた。【選択図】図１
2015098898.tif 000002
【特許請求の範囲】
【請求項１】
貫通孔の周面に雌ねじ部が形成された筒状をした金属製のナット部と、
このナット部の上端に、前記ナット部の軸と直交する方向に厚さを一定にして一体に設けられた金属製の座金部とからなり、
前記座金部の上面の、前記貫通孔の中心を中心にした円周上に、治具が係合する治具係合凹部を複数設けた、
ことを特徴とする座金一体型ナット。
【請求項２】
請求項１に記載の座金一体型ナットであって、
土台に設けられた挿通孔、この挿通孔の上端周縁に設けられた座堀に挿通された、基礎に設けられたアンカーボルトの雄ねじ部に、前記ナット部の下端側を下側にして前記雌ねじ部を螺合させて前記座金部を前記座堀の底面に圧接させた状態で、前記座金部の上面および前記アンカーボルトの上端が、前記土台の上面よりも下側に位置している、
ことを特徴とする座金一体型ナット。
【発明の詳細な説明】
【技術分野】
【０００１】
この発明は、例えば、基礎に土台を固定する座金一体型ナットに関するものである。
【背景技術】
【０００２】
家屋の建築において、基礎に土台（木材）を固定するために座金一体型ナットが使用されている。
【０００３】
上記した座金一体型ナットとして、貫通孔の周面に雌ねじ部が形成された筒状のナット部と、このナット部の上端に、一体に設けられた座金部とからなり、座金部の上面に、治具が係合する治具係合部が複数設けられ、座金部の下面に、切刃が複数設けられたものが提案されている（例えば、特許文献１参照）。
【０００４】
この座金一体型ナットは、治具および工具で回転させられることにより、複数の切刃で土台に座堀を行いながら基礎に設けられたアンカーボルト（またはスタッドボルト）に螺合し、基礎に土台を固定する。
【先行技術文献】
【特許文献】
【０００５】
【特許文献１】特開２００１−１５９４１０号公報
【発明の概要】
【発明が解決しようとする課題】
【０００６】
上記した従来の座金一体型ナットは、基礎に土台を固定する拘束力（締結力）を大きくするため、座金部の外径（外形）を大きくする必要がある。
【０００７】
座金一体型ナットの座金部の外径（外形）を大きくすると、座金一体型ナットは複数の切刃で土台に座堀を行いながらアンカーボルトに螺合してゆくので、座金一体型ナットを回転させる回転力（トルク）が大きくなることにより、作業性、取扱性が悪くなる。
【０００８】
そこで、座金一体型ナットの座金部の外径（外形）を小さくすると、回転力が小さくなって作業性、取扱性が向上するものの、基礎に土台を固定する拘束力が小さくなるという不都合がある。
【０００９】
この発明は、上記した不都合を解消するためになされたもので、作業性、取扱性に優れ、拘束力（締結力）を大きくすることのできる座金一体型ナットを提供するものである。
【課題を解決するための手段】
【００１０】
請求項１に記載の座金一体型ナットは、貫通孔の周面に雌ねじ部が形成された筒状をした金属製のナット部と、このナット部の上端に、前記ナット部の軸と直交する方向に厚さを一定にして一体に設けられた金属製の座金部とからなり、前記座金部の上面の、前記貫通孔の中心を中心にした円周上に、治具が係合する治具係合凹部を複数設けたことを特徴とする。
【００１１】
請求項２に記載の座金一体型ナットは、請求項１に記載の座金一体型ナットであって、土台に設けられた挿通孔、この挿通孔の上端周縁に設けられた座堀に挿通された、基礎に設けられたアンカーボルトの雄ねじ部に、前記ナット部の下端側を下側にして前記雌ねじ部を螺合させて前記座金部を前記座堀の底面に圧接させた状態で、前記座金部の上面および前記アンカーボルトの上端が、前記土台の上面よりも下側に位置していることを特徴とする。
【発明の効果】
【００１２】
請求項１に記載の座金一体型ナットによれば、ナット部をアンカーボルトに単に螺合させることによって基礎に土台を固定することができるので、座金一体型ナットを回転させる回転力を小さくすることができるため、作業性、取扱性に優れた座金一体型ナットとなる。
【００１３】
また、座金一体型ナットを回転させる回転力を小さくすることができるため、座金部の外径（外形）を大きくして土台に対接する面積を広く（大きく）することができるので、基礎に土台を固定する拘束力（締結力）を大きくすることができる。
【００１４】
また、外表面よりも外側に突出する突出部（突起部）がないので、鍛造で塑性変形させた後で切削加工することによって座金一体型ナットを製造できるため、製造し易く、大型化しても歩留まりよく製造することができる。
【００１５】
請求項２に記載の座金一体型ナットによれば、座金部（座金一体型ナット）の上面およびアンカーボルトの上端が土台の上面よりも下側に位置しているので、合板などの建築資材を土台から浮き上がらせることなく、土台に密接させて取り付けることができる。
【図面の簡単な説明】
【００１６】
【図１】この発明の一実施例である座金一体型ナットを示す図であって、（ａ）は正面図、（ｂ）は平面図、（ｃ）は底面図、（ｄ）は図１（ａ）のＸ−Ｘ線による断面図である。
【図２】図１に示した座金一体型ナットを回転させる治具を示す図であって、（ａ）は上面側を示す斜視図、（ｂ）は底面側（下面側）を示す斜視図である。
【図３】図１に示した座金一体型ナットに、図２に示した治具をセットする状態を示す説明図であって、（ａ）は座金一体型ナットに治具をセットする前の状態を示す説明図、（ｂ）は座金一体型ナットに治具をセットした状態を示す説明図である。
【図４】図１に示した座金一体型ナットをアンカーボルトに取り付ける前の基礎、土台を示す説明図であって、（ａ）は斜視図、（ｂ）は図４（ａ）の縦断面図である。
【図５】図１に示した座金一体型ナットをアンカーボルトに取り付けた状態の基礎、土台を示す説明図である。
【図６】この発明の他の実施例である座金一体型ナットを示す図であって、（ａ）は正面図、（ｂ）は平面図、（ｃ）は底面図、（ｄ）は図６（ａ）のＹ−Ｙ線による断面図である。
【発明を実施するための形態】
【００１７】
以下、この発明の実施例を図面を参照して説明する。
【００１８】
図１はこの発明の一実施例である座金一体型ナットを示す図であって、（ａ）は正面図、（ｂ）は平面図、（ｃ）は底面図、（ｄ）は図１（ａ）のＸ−Ｘ線による断面図である。
【００１９】
図２は図１に示した座金一体型ナットを回転させる治具を示す図であって、（ａ）は上面側を示す斜視図、（ｂ）は底面側（下面側）を示す斜視図である。
【００２０】
図３は図１に示した座金一体型ナットに、図２に示した治具をセットする状態を示す説明図であって、（ａ）は座金一体型ナットに治具をセットする前の状態を示す説明図、（ｂ）は座金一体型ナットに治具をセットした状態を示す説明図である。
【００２１】
図４は図１に示した座金一体型ナットをアンカーボルトに取り付ける前の基礎、土台を示す説明図であって、（ａ）は斜視図、（ｂ）は図４（ａ）の縦断面図である。
【００２２】
図５は図１に示した座金一体型ナットをアンカーボルトに取り付けた状態の基礎、土台を示す説明図である。
【００２３】
図１において、金属製の座金一体型ナット１１は、貫通孔１５の周面に雌ねじ部１７が形成された筒状（円筒状）のナット部１３と、このナット部１３の上端部外周に、上面１９ａがナット部１３の上端（上面）１３ａと同一平面を形成し、ナット部１３の軸と直交する方向に厚さを一定、例えば、６ｍｍにして一体に設けられた座金部１９とで構成されている。
【００２４】
そして、座金部１９の上面１９ａの、貫通孔１５の中心を中心にした円周上に、治具が係合する治具係合凹部としての円形の貫通孔２１が、複数、例えば、９０度分割で４つ設けられている。
【００２５】
この座金一体型ナット１１を回転させる治具３１は、図２（ａ）、（ｂ）に示すように、例えば、中心に正四角形の貫通孔３５が形成された円柱部３３と、この円柱部３３の下面の、貫通孔３５の中心を中心にした円周上に、貫通孔２１に係合する係合凸部としての円柱状の突起３７が、９０度分割で４つ設けられている。
【００２６】
図４、図５において、コンクリート４３に鉄筋４５を埋設した基礎４１には、上端側に雄ねじ部４７ａを上側に突出させたアンカーボルト（スタッドボルト）４７が設けられている。
【００２７】
そして、基礎４１の上に配置される土台５１には、アンカーボルト４７、このアンカーボルト４７の雄ねじ部４７ａに螺合する座金一体型ナット１１のナット部１３が挿通される貫通孔５３と、この貫通孔５３の上端周縁に、貫通孔５３の中心を中心にした座堀５５とが設けられている。
【００２８】
次に、図４および図５を参照しながら基礎４１への土台５１の固定について説明する。
【００２９】
まず、図４（ａ）、（ｂ）に示すように、アンカーボルト４７を貫通孔５３および座堀５５に挿通して基礎４１に土台５１を載置する。
【００３０】
そして、ナット部１３の下端側を下側にして雌ねじ部１７にアンカーボルト４７の雄ねじ部４７ａを少し螺合させ、アンカーボルト４７に座金一体型ナット１１を取り付ける。
【００３１】
次に、図３に示すように、座金一体型ナット１１の貫通孔２１に治具３１の突起３７を係合（嵌入）させた後、貫通孔３５の上端に工具の軸を係合（嵌入）させて、所定のトルクで治具３１を回転させてナット部１３を雄ねじ部４７ａに螺合させる。
【００３２】
そして、図５に示すように、座金部１９の下端（下面）１９ｂを座堀５５の底面５５ａに圧接させることにより、基礎４１に土台５１を固定することができる。
【００３３】
上記のように、座金部１３の下端（下面）１９ｂが座堀５５の底面５５ａに圧接した状態においては、座金部１９の上面１９ａおよびアンカーボルト４７の上端が、土台５１の上面５１ａよりも下側に位置している。
【００３４】
この発明の一実施例によれば、ナット部１３をアンカーボルト４７に単に螺合させることによって基礎４１に土台５１を固定することができるので、座金一体型ナット１１を回転させる回転力を小さくすることができるため、作業性、取扱性に優れた座金一体型ナット１１となる。
【００３５】
また、座金一体型ナット１１を回転させる回転力を小さくすることができるため、座金部１９の外径（外形）を大きくして土台５１に対接する面積を広く（大きく）することができるので、基礎４１に土台５１を固定する拘束力（締結力）を大きくすることができる。
【００３６】
また、外表面よりも外側に突出する突出部（突起部）がないので、鍛造で塑性変形させた後で切削加工することによって座金一体型ナット１１を製造できるため、製造し易く、大型化しても歩留まりよく製造することができる。
【００３７】
また、座金部１９（座金一体型ナット１１）の上面１９ａおよびアンカーボルト４７の上端が土台５１の上面５１ａよりも下側に位置しているので、合板などの建築資材を土台５１から浮き上がらせることなく、土台５１に密接させて取り付けることができる。
【００３８】
図６はこの発明の他の実施例である座金一体型ナットを示す図であって、（ａ）は正面図、（ｂ）は平面図、（ｃ）は底面図、（ｄ）は図６（ａ）のＹ−Ｙ線による断面図であり、図１に示す部分と同一部分、または、図１に示す部分に相当する部分に同一符号を付し、その説明を省略する。
【００３９】
図６に示す座金一体型ナット１１Ａが図１に示す座金一体型ナット１１と異なる点は、座金部１９の上面に、貫通孔１５の中心を中心にして周回する周回溝２３を設け、この周回溝２３内に複数の治具係合凹部２１が位置しているところである。
【００４０】
図６に示す座金一体型ナット１１Ａ，１１Ａは、周回溝２３を設け、この周回溝２３内に複数の治具係合凹部２１が位置しているところ以外は図１に示す座金一体型ナット１１と同じ構成である。
【００４１】
図６に示す座金一体型ナット１１Ａも、図１に示した座金一体型ナット１１と同様に使用することができ、図１に示した座金一体型ナット１１と同様な効果を得ることができる。
【００４２】
そして、周回溝２３内に複数の治具係合凹部２１が位置しているので、周回溝２３が治具の突起（係合凸部）を案内する案内溝となることにより、治具の突起（係合凸部）を貫通孔２１に係合させ易くなり、作業性、取扱性に優れた座金一体型ナット１１Ａとなる。
【００４３】
上記した実施例の座金一体型ナット１１は、ナット部１３の上端部外周に、上面１９ａがナット部１３の上端（上面）１３ａと同一平面を形成し、ナット部１３の軸と直交する方向に厚さを一定にして座金部１９を一体に設けているが、ナット部の上端に、ナット部の軸と直交する方向に厚さを一定にして座金部１９を一体に設けている、とも言える。
【００４４】
また、治具係合凹部を貫通孔２１とした例を示したが、治具係合凹部は、溝などの凹部であってもよい。
【符号の説明】
【００４５】
１１    座金一体型ナット
１１Ａ  座金一体型ナット
１３    ナット部
１３ａ  上端（上面）
１５    貫通孔
１７    雌ねじ部
１９    座金部
１９ａ  上面
１９ｂ  下端（下面）
２１    貫通孔（治具係合凹部）
２３    周回溝
３１    治具
３３    円柱部
３５    貫通孔
３７    突起（係合凸部）
４１    基礎
４３    コンクリート
４５    鉄筋
４７    アンカーボルト（スタッドボルト）
４７ａ  雄ねじ部
５１    土台
５１ａ  上面
５３    貫通孔
５５    座堀
５５ａ  底面
【図１】
2015098898.tif 000003
【図２】
2015098898.tif 000004
【図３】
2015098898.tif 000005
【図４】
2015098898.tif 000006
【図５】
2015098898.tif 000007
【図６】
2015098898.tif 000008